(57)【要約】      （修正有）【課題】異なる入力言語の上面カバーおよびキートップにおいて、言語の制約を超えたユニバーサルキーボードを提供する。【解決手段】ユニバーサルキーボードの上面カバー２００はキーボードメイン部分２０２を備える。キーボードメイン部分おけるスペースキートップを取り付けるキー押下穴列２０２ａには、スペースキートップを取り付けるためのスペースキー押下穴２０６と、スペースキー押下穴の両側に配置されている第１の特殊キー押下穴２０４ａおよび第２の特殊キー押下穴２０４ｂと、スペースキー押下穴の両側に配置されている第１の補助位置決め穴２０８ａおよび第２の補助位置決め穴２０８ｂとを備えており、このうち第１補助位置決め穴２０８ａは第１特殊キー押下穴２０４ａとスペースキー押下穴２０６との間に配置されており、第２の補助位置決め穴２０８ｂは第２の特殊キー押下穴２０４ｂとスペースキー押下穴２０６との間に配置されている。【選択図】図４Ａ
0003138357.tif 000002
【実用新案登録請求の範囲】
【請求項１】
上面カバーと、
前記上面カバーに配置されているキーボードメイン部分と、を少なくとも備えたユニバーサルキーボードであって、前記キーボードメイン部分におけるスペースキートップを取り付けるキー押下穴列は、
前記スペースキートップを取り付けるためのスペースキー押下穴と、
前記スペースキー押下穴の両側に配置されている第１の特殊キー押下穴および第２の特殊キー押下穴と、
前記スペースキー押下穴の両側に配置されている第１の補助位置決め穴および第２の補助位置決め穴と、を少なくとも備えており、
このうち前記第１の補助位置決め穴は前記第１の特殊キー押下穴と前記スペースキー押下穴との間に配置されており、前記第２の補助位置決め穴は前記第２の特殊キー押下穴と前記スペースキー押下穴との間に配置されている、ことを特徴とするユニバーサルキーボード。
【請求項２】
前記キーボードメイン部分が、前記スペースキー押下穴と同じ開口径の複数の標準的なキー押下穴を更に
備えた、ことを特徴とする請求項１に記載のユニバーサルキーボード。
【請求項３】
前記スペースキー押下穴に挿入するための主位置決め突起を底面に有する英語スペースキートップを更に備えた、ことを特徴とする請求項２に記載のユニバーサルキーボード。
【請求項４】
前記英語スペースキートップの底面が、前記第１の特殊キー押下穴と前記第２の特殊キー押下穴にそれぞれ挿入する補助位置決め突起対を更に備えた、ことを特徴とする請求項３に記載のユニバーサルキーボード。
【請求項５】
前記補助位置決め突起がＴ字状の補助位置決め突起である、ことを特徴とする請求項４に記載のユニバーサルキーボード。
【請求項６】
前記スペースキー押下穴に挿入するための主位置決め突起を底面に有する日本語スペースキートップを更に備えた、ことを特徴とする請求項２に記載のユニバーサルキーボード。
【請求項７】
前記日本語スペースキートップの底面が、前記第１の補助位置決め穴と前記第２の補助位置決め穴にそれぞれ挿入する補助位置決め突起対を更に備えた、ことを特徴とする請求項６に記載のユニバーサルキーボード。
【請求項８】
前記補助位置決め突起対が円柱状の補助位置決め突起である、ことを特徴とする請求項７に記載のユニバーサルキーボード。
【請求項９】
前記第１の特殊キー押下穴または前記第２の特殊キー押下穴に挿入するための位置決め突起を底面に有する特殊日本語１.５倍キートップを更に備えた、ことを特徴とする請求項６に記載のユニバーサルキーボード。
【請求項１０】
前記スペースキー押下穴に挿入するための主位置決め突起を底面に有するハングル語スペースキートップを更に備えた、ことを特徴とする請求項２に記載のユニバーサルキーボード。
【請求項１１】
前記ハングル語スペースキートップの底面が、前記第１の補助位置決め穴と前記第２の
補助位置決め穴にそれぞれ挿入する補助位置決め突起対を更に備えた、ことを特徴とする請求項１０に記載のユニバーサルキーボード。
【請求項１２】
前記補助位置決め突起対が円柱状の補助位置決め突起である、ことを特徴とする請求項１１に記載のユニバーサルキーボード。
【請求項１３】
前記第１の特殊キー押下穴または前記第２の特殊キー押下穴に挿入するための位置決め突起を底面に有する特殊ハングル語１倍キートップを更に備えた、ことを特徴とする請求項１０に記載のユニバーサルキーボード。
【請求項１４】
前記第１の特殊キー押下穴と前記第２の特殊キー押下穴の開口径が同じであり、しかも前記スペースキー押下穴の開口径よりも大径である、ことを特徴とする請求項１に記載のユニバーサルキーボード。
【考案の詳細な説明】
【技術分野】
【０００１】
本考案はコンピュータ用のキーボード装置に関する。
【背景技術】
【０００２】
従来のキーボードは製造時において、異なる入力言語のキーボード（例えば、日本語または英語）について、異なるキー配列を配置するため、上面カバー上のキー押下穴の配列または大きさをキー配列の違いに応じて変更しなければならない。
【考案の開示】
【考案が解決しようとする課題】
【０００３】
上記した要因のため、異なる入力言語のキーボードでは費用をかけて異なる上面カバーのために各々金型を製作しなければならず、製造コストが嵩んでいた。
【課題を解決するための手段】
【０００４】
したがって、本考案の目的はユニバーサルキーボードを提供するものである。
【０００５】
本考案の上記目的により、ユニバーサルキーボードを開示する。このユニバーサルキーボードの上面カバーはキーボードメイン部分を備える。キーボードメイン部分におけるスペースキートップを取り付けるキー押下穴列には、スペースキートップを取り付けるためのスペースキー押下穴と、スペースキー押下穴の両側に配置されている第１の特殊キー押下穴および第２の特殊キー押下穴と、スペースキー押下穴の両側に配置されている第１の補助位置決め穴および第２の補助位置決め穴とを備えており、このうち第１の補助位置決め穴は第１の特殊キー押下穴とスペースキー押下穴との間に配置されており、第２の補助位置決め穴は第２の特殊キー押下穴とスペースキー押下穴との間に配置されている。
【考案の効果】
【０００６】
本考案のユニバーサルキーボードの設計を応用することで、上面カバーおよびキートップは少なくとも英語、日本語およびハングル語と共通に設計することができ、キーボード製造業者がキーボードを製造する際に製造コストを大幅に削減することができる。
【考案を実施するための最良の形態】
【０００７】
上記のように、本考案では、異なる入力言語の上面カバーおよびキートップにおいて、言語の制約を超えた設計を構築するユニバーサルキーボードを開示するものである。
【０００８】
図１には英語キーボードの平面図を示す。図２には日本語キーボードにおけるキーボードメイン部分の平面図を示す。図３にはハングル語キーボードにおけるキーボードメイン部分の平面図を示す。
【０００９】
本考案で開示するユニバーサルキーボードの上面カバーおよびキートップは少なくとも図１〜３の三種類の入力言語のキーボードに対応している。現在、英語キーボードのキーボードメイン部分１０２、日本語キーボードのキーボードメイン部分１０４およびハングル語キーボードのキーボードメイン部分１０６にて共用できない部分は主にスペース（ｓｐａｃｅ）キー列であるので、本考案ではこの部分について解決方法を提案している。残りのキー列の詳細は省略する。図１〜３を参照して分るように、英語キーボードのキー列１０２ａ、日本語キーボードのキー列１０４ａおよびハングル語キーボードのキー列１０６ａの三者のうちではスペースキーおよびその左右のキー列が異なっている。三種類の入力言語のキートップを取り付けることができる上面カバーを如何に設計するかは、下記に
て逐一説明する。
【００１０】
ユニバーサルキーボードの上面カバーの平面図を示す図４Ａを参照する。ユニバーサルキーボードの上面カバー２００のキーボードメイン部分２０２は複数のキー押下穴を備えており、その中における設計の重点はスペースキーを取り付けるためのキー押下穴列２０２ａにある。このキー押下穴列２０２ａは、その他の標準的なキー押下穴と同じサイズのスペースキー押下穴２０６を備えている。スペースキー押下穴２０６の両側には、開口径が比較的小さな（標準的なキー押下穴の開口径と比較して）補助位置決め穴２０８ａ／２０８ｂを備えている。スペースキー押下穴２０６の両側にはまた開口径が比較的大きな（標準的なキー押下穴の開口径と比較して）特殊キー押下穴２０４ａ／２０４ｂを備えている。補助位置決め穴２０８ａは特殊キー押下穴２０４ａとスペースキー押下穴２０６との間に配置されている。補助位置決め穴２０８ｂは特殊キー押下穴２０４ｂとスペースキー押下穴２０６との間に配置されている。
【００１１】
英語、日本語およびハングル語のキートップを如何に設計すれば、前記上面カバー２００のキーボードメイン部分２０２上（主にキー押下穴列２０２ａ）に取り付けることができるかは、以下にて説明する。
【００１２】
図１、４Ｂ、５を同時に参照し、英語キーボードを例として、キートップをユニバーサルキーボードの上面カバーに取り付ける方法を説明する。図４Ｂはユニバーサルキーボードの上面カバーにバランサ２１０を付加した後の平面図を示す。図５はユニバーサルキーボードにおける英語スペースキートップの上面図１１２ａ、下面図１１２ｂおよび斜視図１１２ｃを示している。
【００１３】
図５を参照する。英語スペースキートップ１１２の底面には主位置決め突起１１３ａと、バランサ係合ツメ対１１３ｂと、補助位置決め突起対１１３ｃとを備えている。主位置決め突起１１３ａは英語スペースキートップ１１２の底面の中心位置に配置されている。バランサ係合ツメ対１１３ｂは主位置決め突起１１３ａの両側に対称に配設されている。
Ｔ字状の一対のバランサ係合ツメ対１１３ｂは主位置決め突起１１３ａの両側に対称に配設されている。
【００１４】
図４Ｂ、５を同時に参照する。英語スペースキートップ１１２がユニバーサルキーボードの上面カバー２００のキーボードメイン部分２０２に取り付けられるとき、主位置決め突起１１３ａがスペースキー押下穴２０６に挿入され、補助位置決め突起対１１３ｃがそれぞれ特殊キー押下穴２０４ａ／２０４ｂに挿入され、バランサ係合ツメ対１１３ｂがバランサ２１０の両端部２１０ａ／２１０ｂ上に係合される。主位置決め突起１１３ａがスペースキー押下穴２０６に挿入された後、主位置決め突起１１３ａ上の係止ツメ対１１３ｄがスペースキー押下穴２０６の内壁に弾性的に係止して、英語スペースキートップ１１２を上面カバー２００上に固定することができる。バランサ２１０および補助位置決め突起対１１３ｃはいずれも英語スペースキートップ１１２にて使用者による均一なキー押下ができるよう寄与している。
【００１５】
図２、４Ｃ、６、８を同時に参照する。日本語入力キーボードを例として、キートップをユニバーサルキーボードの上面カバーに取り付ける方法を説明する。図４Ｃはユニバーサルキーボードの上面カバーにバランサを付加した後の平面図を示す。図６はユニバーサルキーボードにおける日本語スペースキートップの平面図１１４ａ、斜視図１１４ｂおよび下面図１１４ｃを示している。図８は特殊日本語１.５倍キーの平面図１１８ａ、下面図１１８ｂおよび斜視図１１８ｃを示している。
【００１６】
図６を参照する。日本語スペースキートップ１１４の底面には主位置決め突起１１５ａ
と、バランサ係合ツメ対１１５ｂと、補助位置決め突起対１１５ｃとを備えている。主位置決め突起１１５ａは日本語スペースキートップ１１４の底面の中心位置に配置されている。バランサ係合ツメ対１１５ｂは主位置決め突起１１５ａの両側に対称に配設されている。円突起状の一対の補助位置決め突起対１１５ｃは主位置決め突起１１５ａの両側に対称に配設されている。
【００１７】
図４Ｃ、６を同時に参照する。日本語スペースキートップ１１４がユニバーサルキーボードの上面カバー２００のキーボードメイン部分２０２に取り付けられるとき、主位置決め突起１１５ａがスペースキー押下穴２０６に挿入され、補助位置決め突起対１１５ｃがそれぞれ補助位置決め穴２０８ａ／２０８ｂに挿入され、バランサ係合ツメ対１１５ｂがバランサ２１２の両端部２１２ａ／２１２ｂ上に係合される。主位置決め突起１１５ａがスペースキー押下穴２０６に挿入された後、主位置決め突起１１５ａ上の係止ツメ対１１５ｄがスペースキー押下穴２０６の内壁に弾性的に係止して、日本語スペースキートップ１１４を上面カバー２００上に固定することができる。バランサ２１２および補助位置決め突起対１１５ｃはいずれも日本語スペースキートップ１１４にて使用者による均一なキー押下ができるよう寄与している。
【００１８】
図４Ｃ、８を同時に参照する。二つの特殊日本語１.５倍キートップをユニバーサルキーボードの上面カバー２００のキーボードメイン部分２０２に取り付けられるとき、位置決め突起１１９が特殊キー押下穴２０４ａ／２０４ｂに挿入され、位置決め突起１１９上の係止ツメ対１１５ｄが特殊キー押下穴２０４ａ／２０４ｂの内壁に弾性的に係止して、特殊日本語１.５倍キートップを上面カバー２００上に固定することができる。特殊日本語１.５倍キートップは比較的大きな（スペースキートップの主位置決め突起と比較して）位置決め突起１１９を備え、特殊日本語１.５倍キートップが均一に押下できるようにしている。
【００１９】
図３、４Ｂ、７、９を同時に参照する。ハングル語入力キーボードを例として、キートップをユニバーサルキーボードの上面カバーに取り付ける方法を説明する。図４Ｂはユニバーサルキーボードの上面カバーにバランサを付加した後の平面図を示す。図７はユニバーサルキーボードにおけるハングル語スペースキートップの平面図１１６ａ、側面図１１６ｂおよび下面図１１６ｃを示している。図９は特殊ハングル語１倍キーの平面図１２０ａ、下面図１２０ｂを示している。
【００２０】
図７を参照する。ハングル語スペースキートップ１１６の底面には主位置決め突起１１７ａと、バランサ係合ツメ対１１７ｃと、補助位置決め突起対１１７ｂとを備えている。主位置決め突起１１７ａはハングル語スペースキートップ１１６の底面の中心位置に配置されている。バランサ係合ツメ対１１７ｃは主位置決め突起１１７ａの両側に対称に配設されている。円突起状の一対の補助位置決め突起対１１７ｂは主位置決め突起１１７ａの両側に対称に配設されている（ハングル語スペースキートップ１１６における補助位置決め突起対１１７ｂの間の間隔と、日本語スペースキートップ１１４における補助位置決め突起対１１５ｃの間の間隔は同じである）。
【００２１】
図４Ｂ、７を同時に参照する。ハングル語スペースキートップ１１６がユニバーサルキーボードの上面カバー２００のキーボードメイン部分２０２に取り付けられるとき、主位置決め突起１１７ａがスペースキー押下穴２０６に挿入され、円突起状の補助位置決め突起対１１７ｂがそれぞれ補助位置決め穴２０８ａ／２０８ｂに挿入され、バランサ係合ツメ対１１７ｃがバランサ２１０の両端部２１０ａ／２１０ｂ上に係合される。主位置決め突起１１７ａがスペースキー押下穴２０６に挿入された後、主位置決め突起１１７ａ上の係止ツメ対１１７ｄがスペースキー押下穴２０６の内壁に弾性的に係止して、ハングル語スペースキートップ１１６を上面カバー２００上に固定することができる。バランサ２１
０および補助位置決め突起対１１７ｂはいずれもハングル語スペースキートップ１１６にて使用者による均一なキー押下ができるよう寄与している。
【００２２】
図４Ｂ、９を同時に参照する。二つの特殊ハングル語１倍キートップがユニバーサルキーボードの上面カバー２００のキーボードメイン部分２０２に取り付けられるとき、位置決め突起１２１が特殊キー押下穴２０４ａ／２０４ｂに挿入され、位置決め突起１２１上の係止ツメ対１２１ａが特殊キー押下穴２０４ａ／２０４ｂの内壁に弾性的に係止して、特殊ハングル語１倍キートップ１２０を上面カバー２００上に固定することができる。特殊ハングル語１倍キートップは比較的大きな（スペースキートップの主位置決め突起と比較して）位置決め突起１２１を備えている。位置決め突起１２１はキートップ底面の中間に配置されてはいないものの、特殊ハングル語１倍キートップは均一に押下できる。また、特殊ハングル語１倍キートップの位置決め突起１２１と、特殊日本語１.５倍キートップの位置決め突起１１９のサイズは完全に同じであるため、両者は特殊キー押下穴２０４ａ／２０４ｂ内に挿入することができる。
【００２３】
上記した本考案の好ましい実施例から理解できるように、本考案のユニバーサルキーボードの設計を応用することで、上面カバーおよびキートップは少なくとも英語、日本語およびハングル語と共通に設計することができ、キーボード製造業者がキーボードを製造する際に製造コストを大幅に削減することができる。
【００２４】
確かに本考案では好ましい実施例を上記のように開示したが、これは本考案を限定するためのものではなく、当業者であれば、本考案の技術的思想および範囲を逸脱することなく、各種の変更および付加を行うことができるので、本考案の保護範囲は別紙の実用新案登録請求の範囲による限定を基準と見なす。
【図面の簡単な説明】
【００２５】
本考案の上記およびその他目的、特徴、長所および実施例をより明確に理解できるよう、添付の図面の詳細な説明を下記のとおり行う。
【図１】英語キーボードの平面図である。
【図２】日本語キーボードにおけるキーボードメイン部分の平面図である。
【図３】ハングル語キーボードにおけるキーボードメイン部分の平面図である。
【図４Ａ】ユニバーサルキーボードの上面カバーの平面図である。
【図４Ｂ】ユニバーサルキーボードの上面カバーの平面図である（英語、ハングル語のバランサを付加している）。
【図４Ｃ】ユニバーサルキーボードの上面カバーの平面図である（日本語のバランサを付加している）。
【図５】ユニバーサルキーボードにおける英語スペースキートップである。
【図６】ユニバーサルキーボードにおける日本語スペースキーである。
【図７】ユニバーサルキーボードにおけるハングル語スペースキーである。
【図８】ユニバーサルキーボードにおける特殊日本語１.５倍キーである。
【図９】ユニバーサルキーボードにおける特殊ハングル語１倍キーである。
【符号の説明】
【００２６】
１０２    キーボードメイン部分
１０２ａ  キー列
１０４    キーボードメイン部分
１０４ａ  キー列
１０６    キーボードメイン部分
１０６ａ  キー列
１１２    英語スペースキートップ
１１２ａ  平面図
１１２ｂ  下面図
１１２ｃ  斜視図
１１３ａ  主位置決め突起
１１３ｂ  バランサ係合ツメ
１１３ｃ  補助位置決め突起
１１３ｄ  係止ツメ
１１４    日本語スペースキートップ
１１４ａ  平面図
１１４ｂ  斜視図
１１４ｃ  下面図
１１５ａ  主位置決め突起
１１５ｂ  バランサ係合ツメ
１１５ｃ  補助位置決め突起
１１５ｄ  係止ツメ
１１６    ハングル語スペースキートップ
１１６ａ  平面図
１１６ｂ  側面図
１１６ｃ  下面図
１１７ａ  主位置決め突起
１１７ｂ  補助位置決め突起
１１７ｃ  バランサ係合ツメ
１１７ｄ  係止ツメ
１１８    特殊日本語１.５倍キートップ
１１９    位置決め突起
１１９ａ  係止ツメ
１２０    特殊ハングル語１倍キートップ
１２０ａ  平面図
１２０ｂ  下面図
１２１    位置決め突起
１２１ａ  係止ツメ
２００    上面カバー
２０２    キーボードメイン部分
２０２ａ  キー押下穴列
２０４ａ  特殊キー押下穴
２０４ｂ  特殊キー押下穴
２０６    スペースキー押下穴
２０８ａ  補助位置決め穴
２０８ｂ  補助位置決め穴
２１０    バランサ
２１０ａ  端部
２１０ｂ  端部
２１２    バランサ
２１２ａ  端部
２１２ｂ  端部
【図１】
0003138357.tif 000003
【図２】
0003138357.tif 000004
【図３】
0003138357.tif 000005
【図４Ａ】
0003138357.tif 000006
【図４Ｂ】
0003138357.tif 000007
【図４Ｃ】
0003138357.tif 000008
【図５】
0003138357.tif 000009
【図６】
0003138357.tif 000010
【図７】
0003138357.tif 000011
【図８】
0003138357.tif 000012
【図９】
0003138357.tif 000013